(57)【要約】【課題】  表示品質に優れた映像表示システムを提供する。【解決手段】  互いに別体として設けられ、照明用光ファイバ１２によって接続された光源１１および映像表示装置１３に、この照明用光ファイバ１２に沿って検知ユニット１４を配設する。この検知ユニット１４は、検知部１８と、この検知部１８に入射光を伝送する検出用光ファイバ１９とを備えている。そして、検出用光ファイバ１９を、照明用光ファイバ１２に倣って形状変化するように、この照明用光ファイバ１２の表面と密着して設ける。これにより、光検出用ファイバ１９内を伝播した光の強度を検知することで、照明用光ファイバ１２内を伝播する光の強度を間接的に観察（検知）し、この検知結果に基づいて光源１１の発光量を調整する。【選択図】  図２
2009140874.tif 000002
【特許請求の範囲】
【請求項１】
照明光を発する光源と、
前記光源とは別体として設けられ、前記光源からの照明光を映像信号に基づいて変調することにより映像を表示する表示部と、
前記光源からの照明光を前記表示部に導く照明用光ファイバと、
前記照明用光ファイバの外面に密着して設けられ、この照明用光ファイバに倣って屈曲する検出用光ファイバと、
前記検出用光ファイバの内部を伝播したあとの光の強度を検知する検知手段と、
前記検知手段による検知結果に基づいて、前記光源の発光量を制御する制御手段と
を備えたことを特徴とする映像表示システム。
【請求項２】
前記検出用光ファイバの光路長は、照明用光ファイバの光路長よりも長い
ことを特徴とする請求項１に記載の映像表示システム。
【請求項３】
前記検出用光ファイバの光路長は、照明用光ファイバの光路長の２倍以上である
ことを特徴とする請求項２に記載の映像表示システム。
【請求項４】
前記検出用光ファイバは、
前記照明用光ファイバの全長にわたって照明用光ファイバに密着して並設された複数の光ファイバセクションと、
前記複数の光ファイバセクションにおける互いに隣接する端部同士を光学的に結合することにより、前記複数の光ファイバセクションを光学的に直列に接続する光結合手段と
を含み、
前記検出用光ファイバが、全体として、前記照明用光ファイバの長さ方向に沿って葛折状に往復する単一の連続光路を構成している
ことを特徴とする請求項２に記載の映像表示システム。
【請求項５】
前記光結合手段が反射ミラーを含んで構成されている
ことを特徴とする請求項４に記載の映像表示システム。
【請求項６】
前記検出用光ファイバは、前記照明用光ファイバの周面に沿って曲線を描くように延設されている
ことを特徴とする請求項２に記載の映像表示システム。
【請求項７】
前記検出用光ファイバの一端に、前記光源からの光の一部が入射され、
前記検知手段は、前記検出用光ファイバの他端から出射された光の強度を検知する
ことを特徴とする請求項１に記載の映像表示システム。
【請求項８】
前記検出用光ファイバの一端に、前記光源とは異なる他の光源からの光が入射され、
前記検知手段は、前記検出用光ファイバの他端から出射された光の強度を検知する
ことを特徴とする請求項１に記載の映像表示システム。
【請求項９】
照明光を発する光源と、
前記光源とは別体として設けられ、前記光源からの照明光を映像信号に基づいて変調することにより映像を表示する表示部と、
複数の光ファイバエレメントを一体に束ねて構成され、前記光源からの照明光を前記表示部に導く照明用光ファイバ束と、
前記照明用光ファイバ束における特定の（１または複数の）光ファイバエレメントの内部を伝播したあとの光の強度を検知する検知手段と、
前記検知手段による検知結果に基づいて、前記光源の発光量を制御する制御手段と
を備えたことを特徴とする映像表示システム。
【請求項１０】
照明光を発する光源と、
前記光源とは別体として設けられ、前記光源からの照明光を映像信号に基づいて変調することにより映像を表示する表示部と、
複数の光ファイバエレメントを一体に束ねて構成され、前記光源からの照明光を前記表示部に導く照明用光ファイバ束と、
前記照明用光ファイバ束における第１の光ファイバエレメントの内部をその全長にわたって伝播したあとの光の強度を検知すると共に、前記照明用光ファイバ束における第２の光ファイバエレメントの内部をその全長にわたって伝播する前の光の強度を検知する検知手段と、
前記検知手段による検知結果に基づいて、前記光源の発光量を制御する制御手段と
を備えたことを特徴とする映像表示システム。
【請求項１１】
前記照明用光ファイバ束は被覆部材によって被覆され、
前記第２の光ファイバエレメントの光出射端が前記被覆部材を貫いて外部に導かれ、
前記検知手段が前記第２の光ファイバエレメントの光出射端からの出射光を検知する
ことを特徴とする請求項１０に記載の映像表示システム。
【請求項１２】
照明光を発する光源と、
前記光源とは別体として設けられ、前記光源からの照明光を映像信号に基づいて変調することにより映像を表示する表示部と、
前記光源からの照明光を前記表示部に導く照明用光ファイバと、
前記照明用光ファイバの外面に密着して設けられ、この照明用光ファイバに倣って屈曲する第１および第２の検出用光ファイバと、
前記第１の検出用光ファイバの内部をその全長にわたって伝播したあとの光の強度を検知すると共に、前記第２の検出用光ファイバの内部をその全長にわたって伝播する前の光の強度を検知する検知手段と、
前記検知手段による検知結果に基づいて、前記光源の発光量を制御する制御手段と
を備えたことを特徴とする映像表示システム。
【請求項１３】
照明光を発する光源と、
前記光源とは別体として設けられ、前記光源からの照明光を映像信号に基づいて変調することにより映像を表示する表示部と、
複数の光ファイバエレメントを一体に束ねて構成され、前記光源からの照明光を前記表示部に導く照明用光ファイバ束と
を備え、
前記複数の光ファイバエレメントの出射側端部が前記表示部の表示面全体に分散配置されると共に、各光ファイバエレメントの出射側端部からの出射光が前記表示部の表示面を直接照射するように構成されている
ことを特徴とする映像表示システム。
【請求項１４】
前記光ファイバエレメントの出射側端部に、光出射方向を制御する出射方向制御構造が設けられている
ことを特徴とする請求項１３に記載の映像表示システム。
【請求項１５】
前記出射方向制御構造が、レンズ、プリズムまたはそれらの組み合わせからなる
ことを特徴とする請求項１４に記載の映像表示システム。
【請求項１６】
前記表示部は、光ファイバエレメントの出射側端部と対向して配置された拡散板を備えている
ことを特徴とする請求項１３に記載の映像表示システム。
【請求項１７】
第１の方向および第２の方向に沿って２次元的に配列された複数の画素を含み、映像信号に基づいて各画素を駆動することにより入射光を変調して映像を表示する液晶パネルと、
前記第１の方向に沿った画素列に対応してこれに沿って延設され、それぞれの内部を伝播してきた光を各側面から出射することにより、対応する画素列を照明する複数の光ファイバエレメントと
を備え、
前記複数の光ファイバエレメントが、互いに異なる波長の色光をそれぞれ伝送する複数の光ファイバエレメントを前記第２の方向に沿って各色ごとに周期的に繰り返し配置して構成されている
ことを特徴とする映像表示システム。
【請求項１８】
照明光を発する光源と、
前記光源からの照明光を複数箇所に分配するように敷設されると共に、各分配先の光出射端に光出力コネクタを有する光ファイバ網と、
前記光源とは別体として設けられると共に前記光ファイバ網の各光出力コネクタに着脱可能な光入力コネクタを有し、前記光出力コネクタに前記光入力コネクタを接続した状態において前記光源から前記光ファイバ網を介して伝送される照明光を映像信号に基づいて変調することにより映像を表示する表示部と
を備えたことを特徴とする映像表示システム。
【請求項１９】
前記表示部が、前記映像信号を受信する無線受信部を有する
ことを特徴とする請求項１８に記載の映像表示システム。
【発明の詳細な説明】
【技術分野】
【０００１】
本発明は、別体として設けられた光源からの照明光を映像信号に基づいて変調することにより映像を表示する表示部を備えた映像表示システムに関する。
【背景技術】
【０００２】
従来、メタルハライドランプやハロゲンランプ等の光源ユニットを用いた面発光システムが報告されている。この面発光システムでは、光源ユニットと発光部が別ユニットとなっており光源からの光を光ファイバで導く構造となっている。この種の面発光システムでは、発光部を帯状発光体や面発光体等の導光部材を用いて構成し、光ファイバを帯状発光体または面発光体に側方からカップリングすることにより、面発光を可能にしている。
【０００３】
映像を表示する液晶ディスプレイ等の映像表示装置においても同じ構造を用いることが可能であり、光源ユニットと映像表示ユニットを別々にして光ファイバで連結する分離型映像表示システムが下記特許文献１に開示されている。この方法によれば、かなりの重量および容積がある光源ユニットを別ユニットとして設置することができるので、映像表示ユニットの薄型化と軽量を実現することが容易となる。
【０００４】
なお、特許文献２には、光ファイバ内を伝播したあとの光の変化量に基づいて曲がり角度を検出する方法が開示されている。
【０００５】
【特許文献１】特開２０００−７５２７０号公報
【特許文献２】特開２００３−８８４９２号公報
【発明の開示】
【発明が解決しようとする課題】
【０００６】
ところで、一般に光ファイバでは、曲げる角度によって内部で全反射条件が崩れて光が漏れ、ファイバ入り口の光量に比べて出口光量が減少する。使用する光ファイバにもよるが、直径１０ｍｍ長さ５００ｍｍのガラス製ファイバでは２％程度の光量の減少が見られる。このため、上記のような光源ユニットと映像表示ユニットを別々にして光ファイバで連結するシステムにおいては、光ファイバの曲がりによる光量の減少が表示部の光量減少を招き、映像の品位を低下させる原因となる。したがって、光ファイバ内を伝播する光の強度低下に起因する表示輝度の低下を何らかの方法で補償する必要がある。
【０００７】
また、上記のように光源ユニットと映像表示ユニットとを別ユニットとして構成する場合において、映像表示ユニットと光ファイバとのカップリングのために帯状発光体や面発光体等の導光部材を介在させた場合には、そのカップリング部分において光損失が生じ、光利用効率が低下する可能性もある。
【０００８】
また、従来の分離型映像表示システムでは、光源ユニットと映像表示ユニットとが１対１の関係であったので、１式の映像表示システムをいろいろな部屋で利用しようとする場合には、映像表示ユニットと光源ユニットの両方を同時に移動させる必要があった。このため、折角、映像表示ユニットを軽量化したにもかかわらず、相当な重量および容積を有する光源ユニットの移動に労力がかかり、可搬性に問題があった。
【０００９】
本発明はかかる問題点に鑑みてなされたもので、その目的は、光ファイバの形状変化による伝送光量の低下や光学的カップリング部分での光量損失等に起因する表示輝度の低下を抑制することが可能な分離型の映像表示システム、および可搬性に優れた分離型の映像表示システムを提供することにある。
【課題を解決するための手段】
【００１０】
本発明の第１の映像表示システムは、照明光を発する光源と、光源とは別体として設けられ光源からの照明光を映像信号に基づいて変調することにより映像を表示する表示部と、光源からの照明光を表示部に導く照明用光ファイバと、照明用光ファイバの外面に密着して設けられこの照明用光ファイバに倣って屈曲する検出用光ファイバと、検出用光ファイバの内部を伝播したあとの光の強度を検知する検知手段と、検知手段による検知結果に基づいて光源の発光量を制御する制御手段とを備えたものである。
【００１１】
本発明の第１の映像表示システムでは、照明用光ファイバとは別個に設けられた検出用光ファイバを利用して、照明用光ファイバの屈曲による伝送光量低下が間接的に検出される。すなわち、検出用光ファイバの内部を伝播したあとの光の強度が検知され、その検知結果に基づいて光源の発光量が制御される。検出用光ファイバは、照明用光ファイバに倣って屈曲するようになっており、かつ、自らの屈曲状態によってそれ自身の伝送光量が変化する。このため、検出用光ファイバの伝送光量を監視することにより、照明用光ファイバの屈曲状態、ひいては照明用光ファイバ内部を伝送される照明光の光量レベルの変化が間接的にわかる。したがって、例えば、検出用光ファイバからの出射光の強度が所定のレベルまたはレベル範囲内に保たれるように光源の発光量をフィードバック制御すれば、照明用光ファイバから出射される照明光の光量レベルを一定に保つことができる。
【００１２】
本発明の第２の映像表示システムは、照明光を発する光源と、光源とは別体として設けられ光源からの照明光を映像信号に基づいて変調することにより映像を表示する表示部と、複数の光ファイバエレメントを一体に束ねて構成され光源からの照明光を表示部に導く照明用光ファイバ束と、照明用光ファイバ束における特定の光ファイバエレメントの内部を伝播したあとの光の強度を検知する検知手段と、検知手段による検知結果に基づいて光源の発光量を制御する制御手段とを備えたものである。なお、「特定の光ファイバエレメント」とは、照明用光ファイバ束の構成要素であるが、単一のエレメントであってもよいし、複数のエレメントを含むものであってもよい。
【００１３】
本発明の第２の映像表示システムでは、照明用光ファイバ束のうちの特定の光ファイバエレメントを利用して、照明用光ファイバの屈曲による伝送光量低下が検出される。すなわち、特定の光ファイバエレメントの内部を伝播したあとの光の強度が検知され、その検知結果に基づいて光源の発光量が制御される。より詳細な作用は、上記第１の映像表示システムの場合と同様である。
【００１４】
本発明の第３の映像表示システムは、照明光を発する光源と、光源とは別体として設けられ光源からの照明光を映像信号に基づいて変調することにより映像を表示する表示部と、複数の光ファイバエレメントを一体に束ねて構成され光源からの照明光を表示部に導く照明用光ファイバ束と、照明用光ファイバ束における第１の光ファイバエレメントの内部をその全長にわたって伝播したあとの光の強度を検知すると共に照明用光ファイバ束における第２の光ファイバエレメントの内部をその全長にわたって伝播する前の光の強度を検知する検知手段と、検知手段による検知結果に基づいて光源の発光量を制御する制御手段とを備えたものである。なお、第１の光ファイバエレメントおよび第２の光ファイバエレメントは、それぞれ、照明用光ファイバ束の構成要素であるが、単一のエレメントであってもよいし、複数のエレメントを含むものであってもよい。
【００１５】
発明の第３の映像表示システムでは、照明用光ファイバ束のうちの（伝播後の光強度を検知する）第１光ファイバエレメントおよび（伝播前の光強度を検知する）第２の光ファイバエレメントを利用して、第２の光ファイバエレメントを基準として第１の照明用光ファイバの屈曲による伝送光量低下が検出される。すなわち、照明用光ファイバ束のうちの第１の光ファイバエレメントの内部を伝播したあとの光の強度と、照明用光ファイバ束のうちの第２の光ファイバエレメントの内部を伝播する前の光の強度とが検知され、その検知結果（伝播前の光強度と伝播後の光強度との差分）に基づいて光源の発光量が制御される。通常、照明用光ファイバ束では、第１の光ファイバエレメントの内部を伝送される光の光量と、第２の光ファイバエレメントの内部を伝送される光の光量とは同じであると見なすことができる。したがって、第１の光ファイバエレメントを伝播する前の光の強度と第２の光ファイバエレメントを伝播した後の光強度との差分を検出すれば、照明用光ファイバ束自体の屈曲状態、ひいては照明用光ファイバ内部を伝送される照明光の光量レベルの変化がわかる。したがって、例えば、その差分の大小に応じて光源の発光量を増減制御すれば、照明用光ファイバ束からの出射光量を一定に保つことができる。
【００１６】
本発明の第４の映像表示システムは、照明光を発する光源と、光源とは別体として設けられ光源からの照明光を映像信号に基づいて変調することにより映像を表示する表示部と、光源からの照明光を表示部に導く照明用光ファイバと、照明用光ファイバの外面に密着して設けられこの照明用光ファイバに倣って屈曲する第１および第２の検出用光ファイバと、第１の検出用光ファイバの内部をその全長にわたって伝播したあとの光の強度を検知すると共に第２の検出用光ファイバの内部をその全長にわたって伝播する前の光の強度を検知する検知手段と、検知手段による検知結果に基づいて光源の発光量を制御する制御手段とを備えたものである。
【００１７】
発明の第４の映像表示システムでは、照明用光ファイバとは別個に設けられた（伝播後の光強度を検知する）第１の検出用光ファイバおよび（伝播前の光強度を検知する）第２の検出用光ファイバを利用して、第２の検出用光ファイバを基準として第１の検出用光ファイバの屈曲による伝送光量低下が検出される。すなわち、照明用光ファイバとは別個に設けられた第１の検出用光ファイバの内部を伝播したあとの光の強度と、照明用光ファイバとは別個に設けられた第２の検出用光ファイバの内部を伝播する前の光の強度とがそれぞれ検知され、その検知結果（伝播前の光強度と伝播後の光強度との差分）に基づいて光源の発光量が制御される。より詳細な作用は、上記第３の映像表示システムの場合と同様である。
【００１８】
本発明の第５の映像表示システムは、照明光を発する光源と、光源とは別体として設けられ光源からの照明光を映像信号に基づいて変調することにより映像を表示する表示部と、複数の光ファイバエレメントを一体に束ねて構成され光源からの照明光を表示部に導く照明用光ファイバ束とを備え、複数の光ファイバエレメントの出射側端部を表示部の表示面全体に分散配置すると共に、各光ファイバエレメントの出射側端部からの出射光が表示部の表示面を直接照射するように構成したものである。なお、「直接照射」とは、帯状発光体や面発光体等の導光部材を介在させずに照射することを意味するのであって、拡散板等の光量分布均一化手段の介在を排除するものではない。
【００１９】
複数の光ファイバエレメントの出射側端部が表示部の表示面全体にわたって分散配置され、すべての光ファイバエレメントの出射側端部からの出射光が全体として、表示部の表示面全体にわたって隈なく直接的に（導光部材を介在せずに）照射される。これにより、表示面が面光源によって直接照明された状態に近い状態（すなわち、照明用光ファイバ束と導光部材との間のカップリング損失がない状態）が得られる。なお、光ファイバエレメントの出射側端部は、その端面を表示面と（特に平行に）対向させて配置することが好ましい。
【００２０】
本発明の第６の映像表示システムは、第１の方向および第２の方向に沿って２次元的に配列された複数の画素を含み、映像信号に基づいて各画素を駆動することにより入射光を変調して映像を表示する液晶パネルと、第１の方向に沿った画素列に対応してこれに沿って延設され、それぞれの内部を伝播してきた光を各側面から出射することにより、対応する画素列を照明する複数の光ファイバエレメントとを備え、複数の光ファイバエレメントを、互いに異なる波長の色光をそれぞれ伝送する複数の光ファイバエレメントを第２の方向に沿って各色ごとに周期的に繰り返し配置して構成するようにしたものである。
【００２１】
本発明の第６の映像表示システムでは、各色（例えば赤、緑、青の３色）ごとに周期的に繰り返し配置された複数の光ファイバエレメントの各々の内部を、各色に対応する光源から各色光が伝播し、光ファイバエレメントの側面から出射され、対応する画素列に照射される。各画素列内の各画素は、照射された各色光（照明光）を映像信号に応じて変調する。これにより、カラー映像が表示される。このため、各色ごとのカラーフィルタを形成することなくカラー表示を行うことが可能となる。なお、各色ごとの光ファイバエレメントは、複数本ずつ１つに束ねるか、あるいは各色ごとの光ファイバエレメントの全体を１つに束ねて光ファイバ束とし、この光ファイバ束を、別体として設けられた各色ごとの光源にそれぞれ光学的に連結するように構成することができる。
【００２２】
本発明の第７の映像表示システムは、照明光を発する光源と、光源からの照明光を複数箇所に分配するように敷設されると共に各分配先の光出射端に光出力コネクタを有する光ファイバ網と、光源とは別体として設けられると共に光ファイバ網の各光出力コネクタに着脱可能な光入力コネクタを有し光出力コネクタに光入力コネクタを接続した状態において光源から光ファイバ網を介して伝送される照明光を映像信号に基づいて変調することにより映像を表示する表示部とを備えたものである。
【００２３】
本発明の第７の映像表示システムでは、照明光が光ファイバ網によって各光出力コネクタに伝送される。表示部の光入力コネクタを光ファイバ網のいずれかの光出力コネクタに接続すると、照明光が表示部に伝送される。伝送された光は映像信号に基づいて変調され、表示部に映像が表示される。表示部の光入力コネクタは、光ファイバ網の任意の光出力コネクタに着脱自在になっているので、表示部のみを移動するだけで、所望の場所での映像表示が可能になる。
【発明の効果】
【００２４】
本発明の第１または第２の映像表示システムによれば、照明用光ファイバの外面に密着配置した検出用光ファイバ、または照明用光ファイバ束のうちの特定の光ファイバエレメントを利用し、これらの検出用光ファイバまたは特定の光ファイバエレメントの内部を伝播したあとの光の強度を検知すると共に、その検知結果に基づいて光源の発光量を制御するようにしたので、照明用光ファイバ（束）からの出射光量を一定に保つことができ、表示部の輝度を安定させ、表示品位を保つことができる。特に、検出用光ファイバの光路長を照明用光ファイバの光路長よりも長くした場合には、光強度の検知感度を高めることができる。とりわけ、検出用光ファイバを複数の光ファイバセクションによって構成し、これらの光ファイバセクションを光結合手段によって光学的に直列に接続した場合には、折り返し領域に急峻な屈曲部が生じないので、実用的な検知精度を確保することができる。中でも、本発明の第２の映像表示システムによれば、新たに検出用光ファイバを設ける必要がないので、部品点数を減らすことができる。
【００２５】
本発明の第３および第４の映像表示システムによれば、照明用光ファイバ束中の第１および第２の光ファイバエレメント、または照明用光ファイバの外面に密着配置された第１および第２の検出用光ファイバを光量検出用ファイバとして利用し、第１の光ファイバエレメントまたは第１の検出用光ファイバを伝播した後の光の強度と、第２の光ファイバエレメントまたは第２の検出用光ファイバを伝播する前の光の強度とを検知すると共に、その検知結果に基づいて光源の発光量を制御するようにしたので、照明用光ファイバ（束）からの出射光量を一定に保つことができ、表示部の輝度を安定させ、表示品位を保つことができる。特に、光伝播後の光強度のみならず光伝播前の光強度をも検知し、基準（参照）として用いるようにしているので、制御がし易い。
【００２６】
本発明の第５の映像表示システムによれば、複数の光ファイバエレメントの出射側端部を表示部の表示面全体に分散配置すると共に各光ファイバエレメントの出射側端部からの出射光を表示部の表示面に直接照射させるようにしたので、帯状発光体や面発光体等の導光部材を用いることなく面発光状態を得ることができる。このため、カップリング部における光量損失を回避して光利用効率を高めることができ、表示輝度の低下を抑制することが可能である。
【００２７】
本発明の第６の映像表示システムによれば、各色ごとに周期的に繰り返し配置された複数の光ファイバエレメントを用いて、各色に対応する光源から各色光を伝送し、光ファイバエレメントの側面から各色光を出射して、対応画素列を照明するようにしたので、いわば線状光源としての各色光用ファイバエレメントからの各色光を各画素ごとに直接変調することによりカラー映像が得られる。すなわち、各色カラーフィルタを必要とせずにカラー表示が可能となり、その結果、液晶パネルの製造が簡単になる。
【００２８】
本発明の第７の映像表示システムによれば、光源からの照明光を光ファイバ網によって複数箇所の光出力コネクタに分配すると共に、照明光を変調して映像を表示する表示部に光入力コネクタを設け、各分配先の光出力コネクタに表示部の光入力コネクタを着脱し得るようにしたので、重くて嵩のある光源を表示部と一緒に持ち運び移動する必要がなく、軽量化された表示部を移動させるだけで、所望の場所での映像表示が可能になる。すなわち、可搬性に優れた分離型の映像表示システムを得ることができる。
【発明を実施するための最良の形態】
【００２９】
以下、本発明の第１の実施の形態の映像表示システムの構成について説明する。
【００３０】
［第１の実施の形態］
図１は、本発明の第１の実施の形態に係る映像表示システムの全体構成を表すものである。映像表示システム１は、光源１１と、照明用光ファイバ１２と、映像表示装置１３と、検知ユニット１４とを備えている。光源１１と、液晶表示装置１３とはそれぞれ別体に設けられており、照明用光ファイバ１２によって光源１１から映像表示装置１３へ照明光が導かれるようになっている。また、検知ユニット１４は照明用光ファイバ１２に沿って配設されている。
【００３１】
光源１１は、照明光を発生させると共に、この照明光を映像表示装置１３に供給するものである。この光源１１としては、例えば、メタルハライドランプ、ハロゲンランプ、発光ダイオード、レーザーなどが用いられる。光源１１は、その点灯動作を制御する制御部（図示せず）を備えている。制御部は、後述する検知ユニット１４の検知部１８と信号線２０を介して接続されており、検知部１８と通信可能となっている。
【００３２】
照明用光ファイバ１２は、図２に示したように、複数の光ファイバエレメント２１が被覆部材２２によって覆われ、束状に形成されたものである。また、この光ファイバエレメント２１は、図３に示したように、その中央部分にコア２３と、コア２３の外周部分にクラッド２４とをそれぞれ有している。コア２３は、照明光を伝播させる芯線としての役割を有するものである。クラッド２４は、コア２３内を伝播する照明光をコア２３に閉じ込めるための外皮としての役割を有する。すなわち、コア２３の屈折率をクラッド２４の屈折率よりも高くする事で、屈折率の異なる境界面で生ずる全反射と呼ばれる光の性質により、光をクラッド２４の外に漏らすことなくコア２３内を遠く（出射端）まで伝送している。なお、図３に示したように、光ファイバエレメント２１の先端面に凸レンズ２５を設けるようにしてもよい。
【００３３】
また、照明用光ファイバ１２は、ある程度まで屈曲可能に形成されており、配設の自由度が高い。なお、ガラス製光ファイバ或いはプラスティック製光ファイバいずれも使用可能であり、特定のファイバに限定するものではない。
【００３４】
映像表示装置１３は、それぞれ面状に形成された表示部１５と、バックライトユニット１６と、映像表示装置１３を制御するための回路部１７とを備えており、映像表示装置１３の前面から、この順に配置されている。
【００３５】
表示部１５は、光源からの照明光を映像信号に基づいて変調し、映像を表示するものであり、例えば、液晶パネルが用いられる。この表示部１５は、液晶層（図示せず）と、この液晶層を挟むようにして互いに対向して設けられた画素電極および共通電極（図示せず）と、照明光（白色光）を各色ごとに分離するための複数の色フィルタからなるカラーフィルタ層（図示せず）を有する。なお、表示部１５の光入射側には、例えば偏光シートやプリズムシート等の光学シートや拡散板等（図示せず）が配置される。
【００３６】
バックライトユニット１６は、表示部１５を照明するための面光源として機能するものであり、例えば帯状導光板１６Ａと面状導光板１６Ｂとを備えて構成される。帯状導光板１６Ａは、例えば表示面の底辺領域において水平方向に長く延びるように設けられ、その短辺側の（垂直方向の）側面には、照明用光ファイバ１２の出射端が光学的に連結されている。帯状導光板１６Ａの上側長辺の端面は、面状導光板１６Ｂの下側端面に光学的に連結されている。帯状導光板１６Ａは、照明用光ファイバ１２の内部を伝播してきた照明光を面状導光板１６Ｂに導く役割を果たす。面状導光板１６Ｂは、帯状導光板１６Ａから入射した照明光を表示面全体にわたる領域から均一に出射させるように構成された面光源として機能する。すなわち、帯状導光板１６Ａと面状導光板１８Ｂとを組み合わせることにより、照明用光ファイバ１２からの照明光を面発光させ、表示部１５の表示面全体を照射できるようになっている。
【００３７】
なお、帯状導光板１６Ａは、バックライトユニット１６の底辺部に限らず、その上辺部に水平方向に設けるようにしてもよく、あるいは左右両端部のいずれかに垂直方向に設けるようにしてもよい。さらには、複数箇所（左右または上下）に設けるようにしてもよい。バックライトユニットとしては、上記のような導光部材を用いた構成に限らず、例えば、後述する第２の実施の形態の構成のように、複数の光ファイバエレメントの出射端面を表示部に対向して分散配置し、表示面を直接照射するようにしてもよい。
【００３８】
図４は、検知ユニット１４の全体構成を表すものである。検知ユニット１４は、検知部（センサ）１８と、検出用光ファイバ１９とを備えている。検出用光ファイバ１９は、２本の光ファイバセクション１９Ａ，１９Ｂと、反射ミラー１９Ｃとを含んでいる。図３に示したように、光ファイバセクション１９Ａ，１９Ｂは、それぞれ照明用光ファイバ１２に密着してその長さ方向に沿って並設され、隣接する一端同士が反射ミラー１９Ｃによって光学的に結合されることにより、互いに直列に接続されている。
【００３９】
検知部１８は、光源１１側における照明用光ファイバ１２の入射端部に近接した位置に、検出用光ファイバ１９の先端面（出射端面）に対向して設けられており、検出用光ファイバ１９内を往復伝播したあとの光の強度を検知できるようになっている。この検知部１８には、例えばフォトトランジスタが用いられるが、フォトダイオードなどその他光電変換する機能を有するものであれば利用可能である。なお、検知部１８は、必要に応じて（例えば光ファイバセクションを３本設けて１往復半させる場合等）、液晶表示装置１３側に設けてもよい。
【００４０】
検出用光ファイバ１９を構成する光ファイバセクション１９Ａ，１９Ｂは、上述した光ファイバエレメント２１と同種のもので構成可能であるが、後述するように、照明用光ファイバ１２と同等以上の光路長を有するように構成するのが好ましい。また、光ファイバセクション１９Ａ，１９Ｂは、上述のとおり、照明用光ファイバ１２の外面に密着して設けられており、この照明用光ファイバ１２に倣って屈曲可能になっている。
【００４１】
反射ミラー１９Ｃは、上記のように、互いに隣接配置された２本の光ファイバセクション１９Ａ，１９Ｂの端部同士を光学的に接続する光結合手段となるものであり、一方の光ファイバセクション１９Ａからの光を反射して他方の光ファイバセクション１９Ｂへ出射させるようになっている。なお、光結合手段として反射ミラー１９Ｃ以外にも、例えば、内面反射プリズム等が利用可能である。
【００４２】
このように、光ファイバセクション１９Ａ，１９Ｂと、反射ミラー１９Ｃとを組合わせることにより、検出用光ファイバ１９を、照明用光ファイバ１２の長さ方向に沿って葛折状に往復する単一の連続光路として構成することができる。このような構成により、検出用光ファイバ１９は、照明用光ファイバ１２の光路長よりも長い、例えば、２倍の光路長を有し、かつ、検出用光ファイバ１９の全長において照明用光ファイバ１２と密着した状態となっている。なお、検出用光ファイバ１９については、上記のように３本、あるそれ以上の光ファイバセクションを組み合わせるようにしてもよい。
【００４３】
続いて、上記映像表示システム１の動作について説明する。
【００４４】
（一般的動作）
光源１１で発光された照明光は、照明用光ファイバ１２によって映像表示装置１３のバックライトユニット１６に伝播する。バックライトユニット１６に伝播した照明光は、帯状導光板１６Ａおよび面状導光板１６Ｂによって表示面全体に拡散され、面発光する。このとき、回路部１７は、表示部１５に映像信号を発信し、表示部１５は、回路部１７からの映像信号に基づいて、表示面における透過量を制御し、映像を表示する。
【００４５】
次に、上記照明用光ファイバ１２（光ファイバエレメント２１）内における光の伝播について説明する。
【００４６】
（光の伝播）
照明用光ファイバ１２に入射してコア２３に閉じこめられた光は、その入射角が臨界角よりも小さい場合には、クラッド２４との境界面で全反射を繰り返し、照明用光ファイバ１２内を伝播する。しかしながら、その入射角が臨界角よりも大きい場合には、クラッド２４の外へ漏れ出し、照明用光ファイバ１２内を伝播する量が減少する。
【００４７】
したがって、照明用光ファイバ１２の形状が過度に屈曲状態となり、伝播する光の入射角が臨界角よりも大きくなる場合には、全反射条件が崩れるため、伝播する途中で光の一部がクラッド２４の外に漏れだし、伝播したあとの光の強度が、伝播する前の光の強度に対して弱くなる。
【００４８】
そこで、このような場合に本実施の形態の映像表示システム１では、伝播したあとの照明光の強度を検知し、その検知結果に基づいて光源１１の発光量を調整する。以下、より詳細に説明する。
【００４９】
（光強度検知動作）
光源１１で発光された照明光は、上記照明用光ファイバ１２に入射すると同様に、一方の検出用光ファイバセクション１９Ａにも入射する。一方の検出用光ファイバセクション１９Ａに入射した光は、その内部を伝播したのち、反射ミラー１９Ｃおよび他方の検出用光ファイバ１９Ｂを介して検知部１８に伝播する。そして、検知部１８によって伝播したあとの光の強度が検知される。この検知結果は、信号線２０を介し、光源１１の制御部に通知される。光源１１の制御部では、通知された検知結果に基づいて光源１１の点灯動作を制御する。例えば、通知された検知結果が、所定の閾値に達しない場合には、達するように制御する。これにより、表示部に供給される照明光の光量低下を補償することができる。なお、その他の制御方法により制御してもよい。
【００５０】
より具体的には、検出用光ファイバ１９は照明用光ファイバ１２に倣って屈曲し、自らの屈曲状態によってそれ自身の伝送光量が変化する。このため、検出用光ファイバ１９の伝送光量を監視することにより、照明用光ファイバ１２の屈曲状態、ひいては照明用光ファイバ１２内部を伝送される照明光の光量レベルの変化が間接的に検知される。
【００５１】
以上説明したように、本実施の形態の映像表示システムでは、照明用光ファイバ１２に沿って検知ユニット１４を設け、かつ、検出用光ファイバ１９を照明用光ファイバ１２に密着して設けるようにしたので、照明用光ファイバ１２を伝播したあとの光の強度を検知することができる。そして、検出部１８の検出結果に基づいて光源の発光量を制御するようにしたので、表示輝度を安定化すると共に、表示品位を保つことができる。
【００５２】
特に、検出用光ファイバ１９の光路長を照明用光ファイバ１２の光路長より長くした場合には、照明用光ファイバ１２の屈曲状態変化に伴う光の強度の変化を大きくすることができ、検出感度を高めることもできる。
【００５３】
さらに、検出用光ファイバ１９を光ファイバセクション１９Ａ，１９Ｂによって構成し、反射ミラー１９Ｃによって直列に接続した場合には、折り返し領域に急峻な屈曲部が生じないので、実用的な検知精度を確保することができる。
【００５４】
以上、実施の形態を挙げて本発明を説明したが、本発明はこの実施の形態に限定されず、様々な変形が可能である。例えば、上記実施の形態では、検出用光ファイバを２本の光ファイバセクションを用いて構成するようにしたが、上記のように３本以上の光ファイバセクションを組み合わせるようにしてもよい。３本以上を組み合わせることで、検出精度をさらに高めることができる。
【００５５】
また、上記では光源１１が検知用光源をも兼ねるようにしたが、光源１１とは別の専用光源（例えばＬＥＤ等の小型の光源）を利用するようにしてもよい。
【００５６】
次に、本実施の形態の変形例について説明する。本変形例は、検出用光ファイバ（検知ユニット）に関するものである。なお、検知ユニット以外の構成は、上記本実施の形態と同様であり、重複する箇所については、同一の符号を付し説明を省略する。
【００５７】
（変形例１）
変形例１は、検出用光ファイバを照明用光ファイバ１２の外面に沿って曲線を描くよう密着して配設したものである。
【００５８】
図５に示したように、検知ユニット２６は、検知部１８と、検出用光ファイバ２７とを備えている。検出用光ファイバ２７は、光ファイバセクション２７Ａ，２７Ｂと、反射ミラー１９Ｃとを備えており、光ファイバセクション２７Ａ，２７Ｂは、上記光ファイバセクション１９Ａ，１９Ｂと同様のものであり、それぞれ照明用光ファイバ１２の外面に沿って曲線を描くように、例えば、螺旋状に延設されている。このように、曲線を描くように延設することで、入射端から出射端までの光路長が長くなり、検知感度を高めることができる。なお、光ファイバセクション２７Ａ，２７Ｂの延設方法は、螺旋状に限らず、例えば、蛇行するように設けてもよい。
【００５９】
また、図示しないが、検出用光ファイバを１本の光ファイバセクションによって構成してもよい。この場合には、検知部を映像表示装置側に設け、１本の光ファイバセクションによって光源から検知部へ光を伝送することで、新たに部品を追加することなく、光路長を照明用光ファイバ１２よりも長くすることができる。
【００６０】
（変形例２）
変形例２は、複数の光ファイバエレメントからなる照明用光ファイバ束の一部を検出用光ファイバとして用いたものである。
【００６１】
図６に示したように、検知ユニット２８は、検知部１８と、検出用光ファイバ２９とを備えている。この検出用光ファイバ２９は、光ファイバセクション２９Ａ，２９Ｂを含み、この光ファイバセクション２９Ａ，２９Ｂは、照明用光ファイバ束３０を構成する光ファイバエレメント２１の一部を検出用として用いたものであり、その大部分が被覆部材２２によって覆われ照明用光ファイバ束３０と一体に形成されている。２本の光ファイバセクション２９Ａ，２９Ｂは、それぞれ映像表示装置１３側の端部において被覆部材２２を貫き、その外部において反射ミラー１９Ｃと連結され、かつ、そのうち一方の光ファイバセクション２９Ｂは、光源１１側の端部においても被覆部材２２を貫き、その外部において検知部１８と連結されている。
【００６２】
本変形例の検知ユニット２８では、照明用光ファイバ束３０の一部を検出用の光ファイバセクション２９Ａ，２９Ｂとして用いることで、新たに検出用光ファイバを設ける必要がなく、部品点数を減らすことができる。なお、本変形例では、２本の光ファイバセクション２９Ａ，２９Ｂを組み合わせるようにしたが、例えば、３本以上の光ファイバセクションを組み合わせるようにしてもよい。
【００６３】
（変形例３）
変形例３は、照明用光ファイバの一部を検出用として用い、かつ、２つの検知部を用いて伝送前の光の強度と、伝送後との光の強度をそれぞれ検知するものである。
【００６４】
図７に示したように、検知ユニット３１は、２つの検知部３２Ａ，３２Ｂと、２本の検出用光ファイバ３３Ａ，３３Ｂとを備える。検出用光ファイバ３３Ａ，３３Ｂは、それぞれ他（照明用）の光ファイバエレメント２１と一体に被覆部材２２によって覆われている。第１の検出用光ファイバ３３Ａは、出射端（映像表示装置１３側）において被覆部材２２を貫き、第１の検出部３２Ａと接続され、第２の検出用光ファイバ３３Ｂは、入射端（光源１１側）において被覆部材２２を貫き、第２の検出部３２Ａと接続されている。なお、２つの検知部３２Ａ，３２Ｂは、図示しない信号線を介してそれぞれ光源１１の制御部と通信可能に接続されている。
【００６５】
この検知ユニット３１では、第１の検出用光ファイバ３３Ａと第１の検知部３２Ａを利用して伝播したあとの光の強度を検出し、第２の検出用光ファイバ３３Ｂと第２の検知部３２Ｂを利用して伝播する前の光の強度を検出する。そして、第１の検知部３２Ａにより検出された第１の検出結果と、第２の検知部３２Ｂにより検出された第２の検出結果とに基づいて、光源の発光量を制御するようにしたので、表示部の表示輝度を安定させ、表示品位を保つことができる。特に、第２の検出結果を基準として伝送したあとの光強度を検知するようにしたので、制御が容易にすることができる。
【００６６】
（変形例４）
変形例４は、照明用光ファイバとは別個に設けられた検出用光ファイバと、２つの検知部によって伝送前と、伝送後との光の強度をそれぞれ検知するものである。
【００６７】
図８に示したように、検知ユニット３４は、２つの検知部３２Ａ，３２Ｂと、２本の検出用光ファイバ３５Ａ，３５Ｂとを備えている。また、２つの検知部３２Ａ，３２Ｂには、それぞれ光源１１の制御部とを接続する信号線（図示せず）が設けられている。第１の光検出用ファイバ３５Ａおよび第１の検出部３２Ａを用いて出射端（映像表示装置１３側）において伝播後の光の強度を検知する。また、第２の光検出用ファイバ３５Ｂおよび第２の検出部３２Ｂを用いて入射端（光源１１側）において伝播前の光の強度を検知する。そして、伝播後の光の強度（第１の検知結果）と伝播前の光の強度（第２の検知結果）に基づいて光源の光量を制御する。
【００６８】
この検出ユニット３４では、上記検出ユニット３１と同様に、第１の検知結果と第２の検知結果に基づいて光源の発光量を制御するようにしたので、表示部の表示輝度を安定させ、表示品位を保つことができ、その制御を容易にすることができる。
【００６９】
以上が本発明第１の実施の形態の映像表示システムについての説明になる。続いて、本発明の第２の実施の形態の映像表示システムの構成について説明する。本実施の形態の映像表示システムは、照明用光ファイバ束の先端部により、表示部を直接照射するものである。上述した第１の実施の形態と重複する箇所については、同一の符号を付し説明を省略する。
【００７０】
［第２の実施の形態］
図９は、本発明の第２の実施の形態に係る映像表示システムの全体構成を表したものであり、図１０は、この映像表示システムの要部の断面構成を表すものである。映像表示システム２は、光源１１と、照明用光ファイバ束３６と、映像表示装置３７とを備えている。光源１１と、映像表示装置３６とはそれぞれ別体に設けられ、照明用光ファイバ束３６によって連結されている。
【００７１】
映像表示装置３７は、表示部１５と、光学シート３８と、拡散板３９と、バックライトユニット４０と、回路部１７とを備え、これらは映像表示装置３７の前面からこの順で配置されている。また、照明用光ファイバ束３６は、複数の光ファイバエレメント２１が束状に形成されたものであり、その先端部分においては各光ファイバエレメント２１毎に分離した状態となっている。
【００７２】
バックライトユニット４０は、光ファイバエレメント２１を固定するための部材を含む。図１１に示したように、光ファイバエレメント２１の出射端面は、映像表示装置３７の表示面（具体的には拡散板３９）に対向するようにして、表示面全体に分散配置されている。このとき、配置方法は、特に限定されず、例えば、格子状もしくは千鳥状、あるいはランダムに配置してもよい。また、各光ファイバエレメント２１間のピッチＰ１，Ｐ２は、規則的にしてもよいし、局所的に距離の異なる不規則なものにしてもよい。なお、図面の都合上、光ファイバエレメント２１は急峻に屈曲した状態に描かれているが、実際は、上述した全反射条件を崩さないように配設されており、面内のいずれにおいても同じ光量となっている。
【００７３】
拡散板３９は、光を散乱・拡散させるためのものである。また、光学シート３８は、散乱光に方向性を付与するものであり、例えば、プリズムシート等が用いられる。拡散板３９および光学シート３８を組み合わせることで、照明光は面内において均一となる。
【００７４】
続いて、上記映像表示システム２の動作について説明する。
【００７５】
光源１１によって発光されると共に、照明用光ファイバ束３６によって伝送された照明光は、各光ファイバエレメント２１毎の側端面においてそれぞれ点発光状態となり、表示面全体を直接照射する。この照射された光は、拡散板３９によって表示面全体に拡散され、光学シート３８によって表示面に対し垂直な方向に傾けられ、均一な面発光状態となる。ここで、表示部１５は映像信号に基づいて照明光を変調し、映像を表示する。
【００７６】
映像表示システム２では、光ファイバエレメント２１をバックライトユニット４０の全面に分散配置し、表示面を直接照射するようにしたので、光ファイバと表示面との間に帯状発光体および面発光体を挿入する必要がない。このため、光ファイバと帯状発光体とのカップリング、または、帯状発光体と面発光体とのカップリングによる光量損失が回避される。
【００７７】
以上説明したように、本実施の形態に係る映像表示システムでは、複数の光ファイバエレメント２１をバックライトユニット４０面内（表示面）に分散配置して表示部を直接照射するようにしたので、カップリング部（例えば、帯状発光体や面状発光体）における光量の損失を回避して光利用効率を高めることができ、表示輝度の低下を抑制することができる。
【００７８】
以上、第２の実施の形態を挙げて本発明を説明したが、本発明はこの実施の形態に限定されず、様々な変形が可能である。例えば、光ファイバエレメント２１の側端面に放射角を制御する機構として凸レンズ２５を設けるようにしたが、これには限定されず、例えば、図１２に示したように拡散板４１設けたり、また、図１３に示したように拡散板４１と凹レンズ４２とを組み合わせものを設けたり、さらに、図１４に示したように拡散板４１と巨大な凸レンズ４３とを組み合わせたものを設けたり、また、図１５に示したように拡散板４１とプリズム４４とを組合せたものを設けてもよい。
【００７９】
また、光ファイバエレメント２１の先端の形状についても様々な変形が可能である。本実施の形態では、光ファイバエレメント２１の側端面に凸レンズ２５を設けるようにしたが、これには限定されず、例えば、図１６に示したように、光ファイバエレメント２１の円周面上に凸レンズ２５を設けるようにしてもよい。このとき、光ファイバエレメント２２の側端面は反射ミラー４５によって覆われ、グラッド２４は先端の一部が除去され、この領域に凸レンズ２５が設けられている。
【００８０】
また、図１７に示したように、光ファイバエレメント２１の先端を斜めに切断し、この切断面に凸レンズ２５を設けてもよい。
【００８１】
さらに、図１８に示したように、光ファイバエレメント２１の先端部の円周面から光を透過させるようにしてもよい。具体的には、光ファイバエレメント２１の側端面を反射ミラー４５で覆い、かつ、光ファイバエレメント２１の先端部の一部を屈曲し、この屈曲した領域のグラッド２４を除去する。
【００８２】
また、本実施の形態の映像表示システムと、上記検知ユニット１４とを組み合わせて用いてもよい。
【００８３】
［第３の実施の形態］
続いて、本発明の第３の実施の形態の映像表示システムの構成について説明する。本実施の形態は、例えば、赤色、緑色および青色毎に発光させた光を、それぞれ異なる光ファイバ束によって映像表示装置へ伝送するものである。なお、上述した第１の実施の形態と重複する箇所については、同一の符号を付し説明を省略する。
図１９は、本実施の形態に係る映像表示システムの全体構成を表すものである。液晶表示システム３は、それぞれ発光色の異なる光源４６Ａ，４６Ｂ，４６Ｃと、各光源毎に対応して設けられた照明用光ファイバ束４７Ａ，４７Ｂ，４７Ｃと、映像表示装置４８とを備えている。光源４６Ａ，４６Ｂ，４６Ｃは、映像表示装置４８と別体に設けられ、それぞれ照明用光ファイバ束４７Ａ，４７Ｂ，４７Ｃによって連結されている。具体的には、後述するように、照明用光ファイバ束４７Ａ，４７Ｂ，４７Ｃの先端部がそれぞれ個別の光ファイバエレメント４９Ａ，４９Ｂ，４９Ｃに分離されており、これらの光ファイバエレメント４９Ａ，４９Ｂ，４９Ｃが、バックライトユニット５０面内における第１の方向に沿って延在配置され、第１の方向に対し直交する第２の方向に沿って繰り返し周期的に配列されている。
【００８４】
光源４６Ａ，４６Ｂ，４６Ｃは、上記光源１１と同様に、映像表示装置４８の照明光を発するものである。光源４６Ａは赤色光を発光し、光源４６Ｂは緑色光を発光し、光源４６Ｃは青色光を発光する。
【００８５】
映像表示装置４８は、表示部１５Ａと、バックライト５０と、回路部１７とを備えている。表示部１５Ａは、上記表示部１５と同様に照明光を変調して映像を表示するものであるが、表示面の第１および第２の方向に沿って配列された複数の画素を含んでいる。なお、カラーフィルタ層は含まない構成となっている。バックライト５０は、上述のとおり、照明用光ファイバ束３６を固定するための部材を含んで構成され、照明用光ファイバ束４７Ａ，４７Ｂ，４７Ｃの先端部分（光ファイバエレメント４９Ａ，４９Ｂ，４９Ｃ）が第１の方向に沿って延配されるようになっている。
【００８６】
照明用光ファイバ束４７Ａ，４７Ｂ，４７Ｃは、各光源４６Ａ，４６Ｂ，４６Ｃから映像表示装置４８へ、それぞれ発光色の異なる照明光を伝送するためのものである。具体的には、照明用光ファイバ束４７Ａは、光源４６Ａと連結して赤色光を伝送する。照明用光ファイバ束４７Ｂは、光源４６Ｂと連結して緑色光を伝送する。また、照明用光ファイバ束４７Ｃは、光源４６Ｃと連結して青色光を伝送する。
【００８７】
また、照明用光ファイバ束４７Ａ，４７Ｂ，４７Ｃは、それぞれ複数の光ファイバエレメント４９Ａ，４９Ｂ，４９Ｃによって構成され、その先端部においては、各光ファイバエレメント４９Ａ，４９Ｂ，４９Ｃが分離独立した状態となっている。そして、これらの光ファイバエレメント４９Ａ，４９Ｂ，４９Ｃでは、図示しない反射ミラーが出射側端面に形成され、かつ、表示部１５に面した側のクラッド２４が部分的に除去されて、表示部１５Ａの画素と対応するように複数の開口部５１Ａ，５１Ｂ，５１Ｃがそれぞれ列状に設けられた状態となっている。
【００８８】
続いて、上記映像表示装置３の動作について説明する。
【００８９】
赤色光源４６Ａによって発光された赤色光は、赤色照明用光ファイバ束４７Ａ内を伝播し、開口部５１Ａから出射して第１の方向に沿って赤色線発光状態となる。これと同様に、緑色光源４６Ｂによって発光された緑色光は、緑色照明用光ファイバ束４７Ｂ内を伝播し、開口部５１Ｂから出射して第１の方向に沿って緑色線発光状態となる。また、青色光源４６Ｃによって発光された青色光は、青色照明用光ファイバ束４７Ｃ内を伝播し、開口部５１Ｃから出射して第１の方向に沿って青色線発光状態となる。これにより、バックライトユニット５０面内において、第１の方向に沿って線状に延びる赤色、緑色および青色の線状光源が、第１の方向と直交する第２の方向に沿って繰り返し周期的に配列された状態となる。各色の照明光は、表示部に入射し、ここで変調されることにより、映像として表示される。
【００９０】
以上説明したように、本実施の形態の映像表示システムでは、各発光色毎に光源４６Ａ，４６Ｂ，４６Ｃを設け、かつ、これらの光源に対応して複数の照明用光ファイバ束４７Ａ，４７Ｂ，４７Ｃを設けるようにしたので、複数の発光色の照明光を同時に伝送することができる。
【００９１】
特に、各色用の照明用光ファイバ束４７Ａ，４７Ｂ，４７Ｃの先端（出射端）側の部分を個別の光ファイバエレメント４９Ａ，４９Ｂ，４９Ｃにそれぞれ分離して、バックライトユニット５０面内における第１の方向に沿って延在配置し、第１の方向に対し直交する第２の方向に沿って繰り返し交互に配列するようにしたので、通常必要となるカラーフィルタを形成することなくカラー表示をすることができる。
【００９２】
［第４の実施の形態］
続いて、本発明の第４の実施の形態の映像表示システムの構成について説明する。上述した第１ないし第３の実施の形態と重複する箇所については、同一の符号を付し説明を省略する。図２０は、本発明の第４の実施の形態に係る映像表示システムの全体構成を表すものである。映像表示システム４は、光源１１と、光ファイバ網５２と、光出力コネクタ５３Ａ，５３Ｂ，５３Ｃ，５３Ｄと、映像表示装置５４とを備えている。光源１１は、複数の部屋のいずれか１つ、例えば、部屋５５Ａに配置され、光ファイバ網５２は、光源１１から各部屋５５Ａ，５５Ｂ，５５Ｃ，５５Ｄ毎に照明光を分配するように敷設されている。また、光出力コネクタ５３Ａ，５３Ｂ，５３Ｃ，５３Ｄは、それぞれ各部屋５５Ａ，５５Ｂ，５５Ｃ，５５Ｄ毎に敷設された光ファイバ網５２にそれぞれ連結されている。映像表示装置５４は、光入力コネクタ５６と、外部入力端子５７と、電源入力端子５８とを備えている。そして、複数の部屋のいずれか１つ、例えば、部屋５５Ａに配置され、光入力コネクタ５６を介して光出力コネクタ５３Ａと着脱可能な状態になっている。
【００９３】
光ファイバ網５２は、光源１１から各光出力コネクタ５３Ａ，５３Ｂ，５３Ｃ，５３Ｄ毎に照明光を分配するものである。上記照明用光ファイバと同様のものであり、各光出力コネクタ５３Ａ，５３Ｂ，５３Ｃ，５３Ｄ毎において光の強度を減衰させず一定の強度を保持するように、上記全反射条件を崩さないように敷設されている。
【００９４】
光出力コネクタ５３Ａ，５３Ｂ，５３Ｃ，５３Ｄは、光ファイバ網５２と、映像表示装置５４とを連結するためのものであり、映像表示装置５４側の光入力コネクタ５６と着脱可能に形成されている。
【００９５】
映像表示装置５４は、図１に示した映像表示装置１３と同様のものであり、照明光を入射し、その入射光を変調することで映像表示するものである。光入力コネクタ５６は、光出力コネクタ５３Ａ，５３Ｂ，５３Ｃ，５３Ｄのいずれかと連結し照明光を映像表示装置５１内へ導入するための機構であり、上述のとおり、光出力コネクタ５３Ａ，５３Ｂ，５３Ｃ，５３Ｄと着脱可能に形成されている。外部入力端子５７は、外部から映像信号を入力する場合に用いるものであり、電源入力端子５８は、映像表示装置５４を駆動するための電力を供給するためのものである。
【００９６】
続いて、上記映像表示システム４の動作について説明する。
【００９７】
光源１１によって発光された照明光は、光ファイバ網５２を介して各部屋５５Ａ，５５Ｂ，５５Ｃ，５５Ｄ毎に設けられた光出力コネクタ５３Ａ，５３Ｂ，５３Ｃ，５３Ｄに伝播する。ここで、複数の部屋のいずれか１つ、例えば、部屋５５Ａに配置された映像表示装置５４の光入力コネクタ５６を光出力コネクタ５３Ａに接続すると、映像表示装置５４に照明光が入射される。このとき、外部入力端子５７を図示しない外部出力端子に接続することで映像表示装置５４に映像信号が送信され、電源入力端子５８を図示しない電源出力端子に接続することで映像表示装置５４を駆動するための電圧が印加される。そして、映像信号に基づいて照明光を変調することで映像が表示される。
【００９８】
以上のように本実施の形態の映像表示システムでは、光源１１と、映像表示装置５１とを別体に設けると共に、着脱可能なコネクタにより互いに連結するようにし、かつ、光出力コネクタ５３Ａ，５３Ｂ，５３Ｃ，５３Ｄを各部屋５５Ａ，５５Ｂ，５５Ｃ，５５Ｄ毎に設けて光ファイバ網５２によって各光出力コネクタ５３Ａ，５３Ｂ，５３Ｃ，５３Ｄ毎に照明光を分配するようにしたので、必要に応じて光源１１と映像表示装置５４とを分離することができる。したがって、光源１１と分離した状態で映像表示装置５４を移動させることで可搬性に優れた映像表示システムを提供することができる。
【００９９】
また、映像表示装置５４が複数存在する場合には、未使用の光出力コネクタを用いることで、同時に複数の部屋で異なるコンテンツを利用することができる。
【０１００】
以上、第４の実施の形態を挙げて本発明を説明したが、本発明はこの実施の形態に限定されず、様々な変形が可能である。例えば、本実施の形態では、外部入力端子５２によって映像信号を受信するようにしたが、無線受信部を設け、この無線受信部によって映像信号を受信するようにしてもよい。
【０１０１】
また、上記第１の実施の形態にある検出ユニット１４を設けてもよいし、さらに、第２の実施の形態のように、光ファイバエレメント２１によって直接照射するようにしてもよい。加えて、第２の実施の形態のように、それぞれ発光色の異なる複数の光源により照明光を入射するようにしてもよい。
【図面の簡単な説明】
【０１０２】
【図１】本発明の第１の実施の形態に係る映像表示システムの全体構成を表す図である。
【図２】検知ユニットの斜視図である。
【図３】光ファイバエレメントの全体構成を表す図である。
【図４】検知ユニットの全体構成を表す図である。
【図５】検知ユニットの変形例の全体構成を表す図である。
【図６】検知ユニットの他の変形例の全体構成を表す図である。
【図７】検知ユニットの他の変形例の全体構成を表す図である。
【図８】検知ユニットの他の変形例の全体構成を表す図である。
【図９】本発明の第２の実施の形態に係る液晶表示システムの全体構成を表す図である。
【図１０】本発明の第２の実施の形態に係る液晶表示システムの要部の断面構成を表す図である。
【図１１】バックライトユニットの斜視図である。
【図１２】本発明の第２の実施の形態の変形例の要部構成を表す図である。
【図１３】本発明の第２の実施の形態の他の変形例の要部構成を表す図である。
【図１４】本発明の第２の実施の形態の他の変形例の要部構成を表す図である。
【図１５】本発明の第２の実施の形態の他の変形例の要部構成を表す図である。
【図１６】本発明の第２の実施の形態の他の変形例の要部構成を表す図である。
【図１７】本発明の第２の実施の形態の他の変形例の要部構成を表す図である。
【図１８】本発明の第２の実施の形態の他の変形例の要部構成を表す図である。
【図１９】本発明の第３の実施の形態に係る液晶表示システムの全体構成を表す図である。
【図２０】本発明の第４の実施の形態に係る液晶表示システムの全体構成を表す図である。
【符号の説明】
【０１０３】
１，２，３，４…映像表示システム、１１，４６Ａ，４６Ｂ，４６Ｃ…光源、１２，４７Ａ，４７Ｂ，４７Ｃ…照明用光ファイバ、１３，３７，４８,５４…映像表示装置、１４，２６，２８，３１…検知ユニット、１５，１５Ａ…表示部、１６，４０，５０…バックライトユニット、１６Ａ…帯状導光板、１６Ｂ…面状導光板、１７…回路部、１８，３２Ａ，３２Ｂ…検知部、１９，２７，２９，３３Ａ，３３Ｂ，３５Ａ，３５Ｂ…検出用光ファイバ、１９Ａ，１９Ｂ，２８Ａ，２７Ｂ，２９Ａ，２９Ｂ…光ファイバセクション、１９Ｃ，４５…反射ミラー、２０…信号線、２１，４９Ａ，４９Ｂ，４９Ｃ…光ファイバエレメント、２２…被覆部材、２３…コア、２４…クラッド、２５，４３…凸レンズ、３０，３６…照明用光ファイバ束、３８…光学シート、３９，４１…拡散板、４２…凹レンズ、４４…プリズム、５１Ａ，５１Ｂ，５１Ｃ…開口部、５２…光ファイバ網、５３Ａ，５３Ｂ,５３Ｃ,５３Ｄ…光出力コネクタ、５５Ａ，５５Ｂ，５５Ｃ，５５Ｄ…部屋、５６…光入力コネクタ、５７…外部入力端子、５８…電源入力端子。
【図１】
2009140874.tif 000003
【図２】
2009140874.tif 000004
【図３】
2009140874.tif 000005
【図４】
2009140874.tif 000006
【図５】
2009140874.tif 000007
【図６】
2009140874.tif 000008
【図７】
2009140874.tif 000009
【図８】
2009140874.tif 000010
【図９】
2009140874.tif 000011
【図１０】
2009140874.tif 000012
【図１１】
2009140874.tif 000013
【図１２】
2009140874.tif 000014
【図１３】
2009140874.tif 000015
【図１４】
2009140874.tif 000016
【図１５】
2009140874.tif 000017
【図１６】
2009140874.tif 000018
【図１７】
2009140874.tif 000019
【図１８】
2009140874.tif 000020
【図１９】
2009140874.tif 000021
【図２０】
2009140874.tif 000022